(57)【要約】【課題】ショッピングやアウトドアなどの様々な場面で使用できるボックス型多目的バッグを提供する。【解決手段】ボックス型多目的バッグ１１は、正面部１２と背面部１３と両側の側面部１４と底面部１５と開閉自在な上蓋１６とが一体に形成されたバッグ本体１７を有し、バッグ本体の内部には、取り外し可能な底板と、取り外し可能な保冷用インナーボックスとを備えており、正面部及び背面部には、肩掛け用のロングハンドル２０と、手持ち用のショートハンドル２１とが設けられており、側面部には、手で把持するためのサイドハンドル２２が設けられており、側面部は、中央部分１４ａを外側に突出させて折り曲げ可能であると共に、折り曲げて接合させる両方の位置に係止可能な係止部材が設けられている。【選択図】図１
0003235395.tif 000002
【実用新案登録請求の範囲】
【請求項１】
様々な用途に使用できるボックス型多目的バッグであって、
該ボックス型多目的バッグは、ボックス型に形成され、正面部と背面部と両側の側面部と底面部と開閉自在な上蓋とが一体に形成されたバッグ本体を有し、
該バッグ本体の内部には、取り外し可能な底板と、取り外し可能な保冷用インナーボックスとを備えており、
前記正面部及び前記背面部には、肩掛け用のロングハンドルと、手持ち用のショートハンドルとが設けられており、
前記側面部には、手で把持するためのサイドハンドルが設けられており、
前記側面部は、中央部分を外側に突出させて折り曲げ可能であると共に、該折り曲げて接合させる両方の位置に係止可能な係止部材が設けられていること
を特徴とするボックス型多目的バッグ。
【請求項２】
前記上蓋の外側には、ポケットが設けられていること
を特徴とする請求項１に記載のボックス型多目的バッグ。
【請求項３】
前記バッグ本体は、ターポリン生地あるいは合成樹脂でコーティングされている合成繊維生地で形成されていること
を特徴とする請求項１に記載のボックス型多目的バッグ。
【請求項４】
前記保冷用インナーボックスは、取り外してフラットに展開できること
を特徴とする請求項１に記載のボックス型多目的バッグ。
【請求項５】
前記バッグ本体は、前記両側の側面部の中央部分を内側に折り込むと共に、前記底面部の中央部分を内側に折り込んで、コンパクトに折り畳み可能であり、
前記上蓋には、折り畳んだバッグ本体を保持するためのゴムベルトが設けられていること
を特徴とする請求項１に記載のボックス型多目的バッグ。
【考案の詳細な説明】
【技術分野】
【０００１】
本考案は、ショッピングやアウトドアなどの様々な場面で使用することができて、大容量で保冷機能を備えるボックス型多目的バッグに関するものである。
【背景技術】
【０００２】
従来、ショッピングに使用するボックス型のバッグとしては、次のような構成の買物用バッグが知られている。この買物用バッグは、スーパーマーケット等のレジカゴの内側にセットできる大きさのボックス型に形成されており、上部に開口部が設けられ、バッグ本体の正面側と背面側とにそれぞれアーチ状の手提げ紐が設けられている（特許文献１及び特許文献２参照）。
【０００３】
このような構成の買物用バッグは、スーパーマーケット等のレジで精算をおこなった後に、収納物（商品）が収納された買物用バッグをレジカゴから取り出して、手提げ紐を手で持って運ぶこととなる。
【先行技術文献】
【特許文献】
【０００４】
【特許文献１】実用新案登録第３２２９２１０号公報
【特許文献２】実用新案登録第３１３６４１３号公報
【考案の概要】
【考案が解決しようとする課題】
【０００５】
この従来例の買物用バッグにおいては、使用する場面や収納物の容量等に応じて、持ち運ぶのに適した形状に形を変えることができないし、また、手提げ紐の長さや取付位置を持ち易いよう適宜に選択できないという問題点を有している。
【０００６】
また、買物用バッグは、布材あるいは合成樹脂材で形成されており、折り畳めるという利点はあるものの、自立性に乏しく、形状の維持が難しいので収納物のスムーズな出し入れに難点がある。また、買物用バッグを持ち上げたときに、収納物の重量によって底部が突出変形し、安定した持運びができないという問題点を有している。
【０００７】
そして、買物用バッグは、保冷機能がないので、冷えた飲料や冷凍食品などの保冷を必要とする収納物の収納には適さないという問題点を有している。
【０００８】
従って、従来例における買物用バッグにおいては、(１)使用する様々な場面や収納物の容量等に応じて形状を変形できること、(２)手提げ紐の長さや取付位置を持ち易いように選択できること、(３)自立性を向上させて収納物をスムーズに出し入れできること、(４)収納物の重量による底部の変形を防いで安定した持運びを可能にすること、(５)保冷機能を備えること、に解決しなければならない課題を有している。
【課題を解決するための手段】
【０００９】
前記従来例の課題を解決するための本考案の要旨は、様々な用途に使用できるボックス型多目的バッグであって、該ボックス型多目的バッグは、ボックス型に形成され、正面部と背面部と両側の側面部と底面部と開閉自在な上蓋とが一体に形成されたバッグ本体を有し、該バッグ本体の内部には、取り外し可能な底板と、取り外し可能な保冷用インナーボックスとを備えており、前記正面部及び前記背面部には、肩掛け用のロングハンドルと、手持ち用のショートハンドルとが設けられており、前記側面部には、手で把持するためのサイドハンドルが設けられており、前記側面部は、中央部分を外側に突出させて折り曲げ可能であると共に、該折り曲げて接合させる両方の位置に係止可能な係止部材が設けられていることである。
【００１０】
また、前記上蓋の外側には、ポケットが設けられていること、；
前記バッグ本体は、ターポリン生地あるいは合成樹脂でコーティングされている合成繊維生地で形成されていること、；
前記保冷用インナーボックスは、取り外してフラットに展開できること、；
前記バッグ本体は、前記両側の側面部の中央部分を内側に折り込むと共に、前記底面部の中央部分を内側に折り込んで、コンパクトに折り畳み可能であり、前記上蓋には、折り畳んだバッグ本体を保持するためのゴムベルトが設けられていること、；
を含むものである。
【考案の効果】
【００１１】
本考案に係るボックス型多目的バッグによれば、側面部の中央部分を外側に突出させて折り曲げ、該折り曲げて接合させる両方の位置を係止部材（フック）で係止すれば、トートバッグの様に形状を変形できる。従って、多くの商品を収納する場合等はボックス型の自立した形状でバッグを使用し、商品の量が少ない場合等はトートバッグの様に変形させて使用することができる。つまり、使用する場面や収納物の容量等に応じて適宜に形状変形できる２ＷＡＹ仕様である。
正面部及び背面部には肩掛け用のロングハンドルと、手持ち用のショートハンドルとが設けられており、また、側面部には手で把持するためのサイドハンドルが設けられているので、使用する様々な状況や収納物の容量、重量等に応じて、ロングハンドルを肩に掛けたり、ショートハンドルを手で持ったり、あるいは、サイドハンドルを両手で把持したり、持ち易いハンドルを適宜に選択できる。
ボックス型多目的バッグは、立方体状のボックス型で、上部に開閉自在な上蓋を備えるので、混雑するレジの周囲であっても、シッカリと自立させて、スムーズに商品の収納が可能である。
底板の存在によって、重い荷物による底面部の変形が防止され、安定した状態で持運びができる。
保冷用インナーボックスの存在によって、冷えた飲料や冷凍食品などの保冷を必要とする収納物の収納にも適しているという種々の優れた効果を奏する。
【００１２】
上蓋の外側には、ポケットが設けられていることによって、トートバッグの様に形状を変形して使用する場合は、バッグ本体の内部に入れた上蓋のポケットをインナーポケットとして使用できる。従って、携帯電話や財布やキーホルダー等の小物がポケットに収納できて便利であるという優れた効果を奏する。
【００１３】
バッグ本体は、ターポリン生地あるいは合成樹脂でコーティングされている合成繊維生地で形成されていることによって、耐水性を備え、丈夫で強度が高く、耐久性を有している。従って、水で繰り返し洗浄できるので、手入れが容易であり、衛生的なだけでなく、丈夫で長期に渡って使用できるという優れた効果を奏する。
【００１４】
保冷用インナーボックスは、取り外してフラットに展開できることによって、汚れたときにフラットに展開してその場でサッと拭きやすく、手入れが簡単で衛生的であるという優れた効果を奏する。
【００１５】
バッグ本体は、両側の側面部の中央部分を内側に折り込むと共に、底面部の中央部分を内側に折り込んで、コンパクトに折り畳み可能であり、上蓋には、折り畳んだバッグ本体を保持するためのゴムベルトが設けられていることによって、コンパクトに折り畳むことで不使用時の収納や持ち運びの際に便利であり、また、折り畳んだバッグ本体を上蓋のゴムベルトで保持すれば、折り畳み状態を安定的に維持できるという優れた効果を奏する。
【図面の簡単な説明】
【００１６】
【図１】本考案に係るボックス型多目的バッグの斜視図である。
【図２】本考案に係るボックス型多目的バッグの両側の側面部の中央部分を内側に折り込むと共に、底面部の中央部分を内側に折り込んで、上蓋を持ち上げた状態の正面図である。
【図３】本考案に係るボックス型多目的バッグをトートバッグの様に形状変形した状態の斜視図である。
【図４】本考案に係るボックス型多目的バッグをトートバッグの様に形状変形する手順を説明する説明図である。
【図５】（イ）保冷用インナーボックスと、それをフラットに展開した状態の斜視図、（ロ）底板の斜視図、（ハ）保冷用インナーボックスをバッグ本体に設置した状態でのバッグ本体の斜視図である。
【図６】ロングハンドルを肩に掛けた状態の説明図である。
【図７】ショートハンドルを手に持った状態の説明図である。
【図８】サイドハンドルを両手で把持した状態の説明図である。
【図９】本考案に係るボックス型多目的バッグを折り畳む手順を説明する説明図、（イ）正面側、（ロ）背面側である。
【考案を実施するための形態】
【００１７】
次に、本考案の実施の形態について図面を参照しながら説明する。まず、図１から図３において、符号１１はボックス型多目的バッグを示し、このボックス型多目的バッグ１１は、正面部１２と背面部１３と両側の側面部１４と底面部１５と開閉自在な上蓋１６とが一体に形成されたバッグ本体１７を有し、バッグ本体１７の内部には、取り外し可能な底板１８と、取り外し可能な保冷用インナーボックス１９とを備えており（図５参照）、正面部１２及び背面部１３には、肩掛け用のロングハンドル（持ち手）２０と、手持ち用のショートハンドル（持ち手）２１とが設けられており、側面部１４には、手で把持するためのサイドハンドル（持ち手）２２が設けられた構成である。
【００１８】
バッグ本体１７は、ボックス型に形成され、正面部１２、背面部１３、側面部１４、底面部１５、及び上蓋１６がそれぞれ長方形状又は正方形状を呈している。
正面部１２の外側には、ポケット部２８が設けられている。
上蓋１６の一辺が背面部１３に連設されて、この連設部分１６ａがヒンジの役目をなして開閉自在であり、上蓋１６の他の三辺が正面部１２と両側の側面部１４とにスライドファスナー２３で接続されている。図１中の符号２５は、スライドファスナー２３のスライダーを示す。
【００１９】
上蓋１６の外側には、ポケット２４が設けられている。ボックス型多目的バッグ１１をトートバッグの様に形状を変形して使用する場合（図３参照）は、バッグ本体１７の内部に入れた上蓋１６のポケット２４をインナーポケットとして使用できる（図４参照）。従って、携帯電話や財布やキーホルダー等の小物をポケット２４に収納できるので便利である。
【００２０】
ボックス型多目的バッグ１１は、図４に示す手順で、トートバッグの様に形状を変形することができる。この場合は、まず、スライドファスナー２３を全開にして、上蓋１６を折り曲げてバッグ本体１７の内部に入れて、側面部１４の中央付近（中央部分）１４ａを外側に突出させて折り曲げ、該折り曲げて接合させる両方の位置を係止部材（フック）２６で係止すれば、トートバッグの様に形状を変形できる。
従って、多くの商品を収納する場合等はボックス型の自立した形状でバッグを使用し（図１参照）、商品の量が少ない場合等はトートバッグの様に変形させて使用することができる（図３参照）。つまり、使用する場面や収納物の容量等に応じて適宜に形状変形できる２ＷＡＹ仕様である。
【００２１】
バッグ本体１７は、ターポリン生地あるいは合成樹脂でコーティングされている合成繊維生地で形成されている。従って、耐水性を備え、丈夫で強度が高く、耐久性を有しており、水で繰り返し洗浄できるので、手入れが容易であり、衛生的なだけでなく、丈夫で長期に渡って使用できる。
【００２２】
底板１８は、図５（ロ）に示すように、底面部１５の内側に沿う形で、長方形状又は正方形状に形成され、硬質プラスチック等の合成樹脂材で形成されており、その四辺はパイピング１８ａを巻回する仕様になっている。底板１８の存在によって、重い荷物による底面部１５の突出変形が防止され、安定した状態で持運びができる。
【００２３】
保冷用インナーボックス１９は、図５（イ）に示すように、アルミシート材等の保冷、保温材でボックス状に形成されており、正面板１９ａと、背面板１９ｂと、両側の側面板１９ｃと、底面板１９ｄと、開閉自在な上蓋板１９ｅとを有している。
側面板１９ｃの中央部分は、面ファスナー１９ｆで接続、離隔が自在に形成されている。図５（イ）中の符号１９ｇは、底面サイドベロを示し、この底面サイドベロ１９ｇを両側の側面板１９ｃの下端部分に位置させる。
また、保冷用インナーボックス１９は、図５（イ）に示すように、バッグ本体１７から取り外してフラットに展開できる。このように、フラットに展開することによって、汚れたときにその場でサッと拭きやすく、手入れが簡単で衛生的である。
【００２４】
肩掛け用のロングハンドル２０、及び手持ち用のショートハンドル２１は、正面部１２及び背面部１３に設けられている。また、サイドハンドル２２は、側面部１４に設けられている。
このように、ロングハンドル２０と、ショートハンドル２１と、サイドハンドル２２が設けられているので、使用する様々な状況や収納物の容量、重量等に応じて、ロングハンドル２０を肩に掛けたり（図６参照）、ショートハンドル２１を手で持ったり（図７参照）、あるいは、サイドハンドル２２を両手で把持したり（図８参照）、持ち易いようハンドルを適宜に選択することができる。
【００２５】
バッグ本体は、図９（イ）（ロ）に示すように、両側の側面部１４の中央部分をそれぞれ内側に折り込むと共に、底面部１５の中央部分を内側に折り込んで、コンパクトに折り畳み可能である。このようにコンパクトに折り畳むことで不使用時の収納や持ち運びの際に便利である。
また、上蓋１６には、折り畳んだバッグ本体１７を保持するためのゴムベルト２７が設けられているので、折り畳んだバッグ本体１７を上蓋１６のゴムベルト２７で保持すれば、折り畳み状態を安定的に維持できる。
【００２６】
以上のように構成されるボックス型多目的バッグ１１は、側面部１４の中央部分１４ａを外側に突出させて折り曲げ、該折り曲げて接合させる両方の位置を係止部材（フック）２６で係止すれば、トートバッグの様に形状が変形できる（図４参照）。
従って、多くの商品を収納する場合等はボックス型の自立した形状でバッグを使用し、商品の量が少ない場合等はトートバッグの様に変形させて使用することができるので、使用する場面や収納物の容量等に応じて適宜に形状変形できる２ＷＡＹ仕様である。
【００２７】
また、正面部１２及び背面部１３には肩掛け用のロングハンドル２０と、手持ち用のショートハンドル２１とが設けられており、また、側面部１４には手で把持するためのサイドハンドル２２が設けられているので、使用する様々な状況や収納物の容量、重量等に応じて、ロングハンドル２０を肩に掛けたり、ショートハンドル２１を手で持ったり、あるいは、サイドハンドル２２を両手で把持したり、持ち易いようハンドルを適宜選択できるのである（図６から図８参照）。
【００２８】
ボックス型多目的バッグ１１は、立方体状のボックス型で、上部に開閉自在な上蓋１６を備えるので、混雑するレジの周囲であっても、シッカリと自立させて、スムーズに商品の収納が可能である。
【符号の説明】
【００２９】
１１  ボックス型多目的バッグ
１２  正面部
１３  背面部
１４  側面部
１４ａ  中央付近（中央部分）
１５  底面部
１６  上蓋
１６ａ  連設部分
１７  バッグ本体
１８  底板
１８ａ  パイピング
１９  保冷用インナーボックス
１９ａ  正面板
１９ｂ  背面板
１９ｃ  側面板
１９ｄ  底面板
１９ｅ  上蓋板
１９ｆ  面ファスナー
１９ｇ  底面サイドベロ
２０  ロングハンドル（持ち手）
２１  ショートハンドル（持ち手）
２２  サイドハンドル（持ち手）
２３  スライドファスナー
２４  ポケット
２５  スライダー
２６  係止部材（フック）
２７  ゴムベルト
２８  ポケット部
【図１】
0003235395.tif 000003
【図２】
0003235395.tif 000004
【図３】
0003235395.tif 000005
【図４】
0003235395.tif 000006
【図５】
0003235395.tif 000007
【図６】
0003235395.tif 000008
【図７】
0003235395.tif 000009
【図８】
0003235395.tif 000010
【図９】
0003235395.tif 000011